(57)【特許請求の範囲】
【請求項１】
おんぶ帯本体部と、
前記おんぶ帯本体部が結合する肩紐取付け部と、
前記おんぶ帯本体部を、前記肩紐取付け部の周りをスライディング回転するように前記肩紐取付け部に結合させるスライディング装置と、
を含み、
前記スライディング装置は、前記肩紐取付け部に付着されるジッパー連結部材、前記ジッパー連結部材に、長さ方向に沿ってジッパーが連続して結合しているジッパー部、及び一側は前記おんぶ帯本体部に付着され、他側は前記ジッパー部にスライディング移動可能に結合するスライダーを含む、おんぶ帯。
【請求項２】
前記スライダーは、前記ジッパー部に結合し、当該ジッパー部に沿ってスライディング移動するスライダー本体と、前記スライダー本体の下端部に結合するスライダー連結部材と、をさらに含む、請求項１に記載のおんぶ帯。
【請求項３】
前記ジッパー連結部材は、一端部にコネクターが設けられ、他端部に前記コネクターと結合する締め金が設けられる、請求項１に記載のおんぶ帯。
【請求項４】
前記おんぶ帯本体部は、
おんぶ帯本体と、
前記おんぶ帯本体が結合するおんぶ帯取付け板と、
を含み、
前記肩紐取付け部は、
肩掛け板と、
前記肩掛け板に結合する肩紐と、
を含む、
請求項１に記載のおんぶ帯。
【請求項５】
前記おんぶ帯本体部と肩紐取付け部とは、上部締め金部及び下部締め金部により締め付けられ、
前記上部締め金部は、
おんぶ帯本体部の上部に設けられるコネクターと、
前記肩紐取付け部の上部に設けられ、前記コネクターと結合する締め金と、
を含み、
前記下部締め金部は、
おんぶ帯本体部の下部に設けられるコネクターと、
前記肩紐取付け部の下部に設けられ、前記コネクターと結合する締め金と、
を含む、
請求項１に記載のおんぶ帯。
【請求項６】
前記肩紐には、ジッパー連結部材の両側端部を係止する固定部材が形成され、
前記固定部材は、
一方の肩紐に設けられ、ジッパー連結部材の端部に引っかかって該ジッパー連結部材の端部を固定するフックと、
他方の肩紐に設けられ、ジッパー連結部材の端部が挿通し、該ジッパー連結部材の端部を固定する固定具と、
を含む、
請求項４に記載のおんぶ帯。
【請求項７】
リュックサック本体部と、
前記リュックサック本体部に結合する肩紐取付け部と、
前記リュックサック本体部を、前記肩紐取付け部の周りをスライディング回転するように前記肩紐取付け部に結合させるスライディング装置と、
を含み、
前記スライディング装置は、前記肩紐取付け部に取り付けられるジッパー連結部材、前記ジッパー連結部材に、長さ方向に沿ってジッパーが連続して結合しているジッパー部、及び一側は前記リュックサック本体部
に付着され、他側は前記ジッパー部にスライディング移動可能に結合するスライダーを含む、リュックサック。
【請求項８】
前記スライダーは、前記ジッパー部に結合し、当該ジッパー部に沿ってスライディング移動するスライダー本体と、前記スライダー本体の下端部に結合するスライダー連結部材と、をさらに含む、請求項７に記載のリュックサック。
【請求項９】
前記ジッパー連結部材は、一端部にコネクターが設けられ、他端部に前記コネクターと結合する締め金が設けられる、請求項７に記載のリュックサック。
【請求項１０】
前記リュックサック本体部は、
リュックサック本体と、
前記リュックサック本体が結合するリュックサック取付け板と、
を含み、
前記肩紐取付け部は、
肩掛け板と、
前記肩掛け板に結合する肩紐と、
を含む、
請求項７に記載のリュックサック。
【請求項１１】
前記リュックサック本体部と肩紐取付け部とは、上部締め金部及び下部締め金部により締め付けられ、
前記上部締め金部は、
リュックサック本体部の上部に設けられるコネクターと、
前記肩紐取付け部の上部に設けられ、前記コネクターと結合する締め金と、
を含み、
前記下部締め金部は、
リュックサック本体部の下部に設けられるコネクターと、
前記肩紐取付け部の下部に設けられ、前記コネクターと結合する締め金と、
を含む、
請求項７に記載のリュックサック。
【請求項１２】
前記肩紐にはジッパー連結部材の両側端部を係止する固定部材が設けられ、
前記固定部材は、
一方の肩紐に設けられ、ジッパー連結部材の端部に引っかかって該ジッパー連結部材の端部を固定するフックと、
他方の肩紐に設けられ、ジッパー連結部材の端部が挿通し、該ジッパー連結部材の端部を固定する固定具と、
を含む、
請求項１０に記載のリュックサック。
【請求項１３】
かばん本体部と、
前記かばん本体部が結合する肩紐取付け部と、
前記かばん本体部を、前記肩紐取付け部の周りをスライディング回転するように前記肩紐取付け部に結合させるスライディング装置と、
を含み、
前記スライディング装置は、前記肩紐取付け部に取り付けられるジッパー連結部材、前記ジッパー連結部材に、長さ方向に沿ってジッパーが連続して結合しているジッパー部、及び一側は前記かばん本体部に付着され、他側は前記ジッパー部にスライディング移動可能に結合するスライダーを含む、かばん。
【請求項１４】
前記スライダーは、前記ジッパー部に結合し、当該ジッパー部に沿ってスライディング移動するスライダー本体と、前記スライダー本体の下端部に結合するスライダー連結部材と、をさらに含む、請求項１３に記載のかばん。
【請求項１５】
前記ジッパー連結部材は、一端部にコネクターが設けられ、他端部に前記コネクターと結合する締め金が設けられる、請求項１３に記載のかばん。
【請求項１６】
前記かばん本体部は、
かばん本体と、
前記かばん本体に結合するかばん取付け板と、
を含み、
前記肩紐取付け部は、
肩掛け板と、
前記肩掛け板に結合する肩紐と、
を含む、
請求項１３に記載のかばん。
【請求項１７】
前記かばん本体部と肩紐取付け部とは、上部締め金部及び下部締め金部により締め付けられ、
前記上部締め金部は、
かばん本体部の上部に設けられるコネクターと、
前記肩紐取付け部の上部に設けられ、前記コネクターに結合する締め金と、
を含み、
前記下部締め金部は、
かばん本体部の下部に設けられるコネクターと、
前記肩紐取付け部の下部に設けられ、前記コネクターに結合する締め金と、
を含む、
請求項１３に記載のかばん。
【請求項１８】
前記肩紐にはジッパー連結部材の両側端部を係止する固定部材が形成され、
前記固定部材は、
一方の肩紐に形成され、ジッパー連結部材の端部に引っかかって該ジッパー連結部材の端部を固定するフックと、
他方の肩紐に形成され、ジッパー連結部材の端部が挿通し、該ジッパー連結部材の端部を固定する固定具と、
を含む、
請求項１６に記載のかばん。
【請求項１９】
腰巻式リュックサック本体部と、
前記腰巻式リュックサック本体部が結合するスライディング装置と、
を含み、
前記スライディング装置は、着用者の腰に着用されるジッパー連結部材、前記ジッパー連結部材に、長さ方向に沿って結合するジッパー部、及び一側は前記腰巻式リュックサック本体部に付着され、他側は前記ジッパー部にスライディング移動可能に結合するスライダーを含む、腰巻式リュックサック。
【請求項２０】
前記スライダーは、前記ジッパー部に結合し、当該ジッパー部に沿ってスライディング移動するスライダー本体と、前記スライダー本体の下端部に結合するスライダー連結部材と、をさらに含む、請求項１９に記載の腰巻式リュックサック。
【請求項２１】
前記ジッパー連結部材は、一端部にコネクターが設けられ、他端部に前記コネクターと結合する締め金が設けられる、請求項１９に記載の腰巻式リュックサック。
【請求項２２】
前記腰巻式リュックサック本体部は、上部にコネクターが設けられ、
前記ジッパー連結部材は、上側部に前記コネクターと結合する複数の上部締め金が設けられる、請求項１９に記載の腰巻式リュックサック。
【発明の詳細な説明】
【技術分野】
【０００１】
本発明は、スライディング装置、該スライディング装置を用いるおんぶ帯、リュックサック、かばん及び腰巻式リュックサックに係り、特に、赤ちゃんを収容するおんぶ帯本体部、品物を収納するリュックサック本体部、かばん本体部及び腰巻式リュックサック本体部をスライディング回転可能に取り付け、肩紐を外すことなく赤ちゃんを降ろしたり、収納されている品物を容易に取り出したりすることができるスライディング装置、該スライディング装置を用いるおんぶ帯、リュックサック、かばん及び腰巻式リュックサックに関するものである。
【背景技術】
【０００２】
一般に、おんぶ帯は、赤ちゃんを抱く道具で、主に、背中に赤ちゃんをおんぶしたり、胸に抱いたりするような構造となっている。
【０００３】
通常、赤ちゃんをおんぶした状態で、ひとりで赤ちゃんを降ろす際には、赤ちゃんを自分の身体に添わせながら背中から前方に移して降ろすようになる。
【０００４】
しかしなから、この過程を他人の助力なしにひとりでするには複雑で、不便であるだけでなく、赤ちゃんを降ろす過程で赤ちゃんを落す危険もある。
【０００５】
そこで、韓国実用新案登録出願２０−２２０９−８６０６号（考案の名称：前後切替おんぶ帯）（２００９．０７．２８）では、おんぶ帯を外して降ろさず、自分の身体の前後に移すことができる前後切替おんぶ帯を提案している。
【０００６】
しかしなから、上記従来の前後切替おんぶ帯では、赤ちゃんの収容部がベルトのレール溝に沿って回転する構成を提案しているが、このベルトは、着用者の腰の周りを巻く構成となっており、この場合、おんぶ帯が着用者の腰を軸にして回転するので、赤ちゃんの重心が上部に位置し、赤ちゃんが落ちる危険がある。
【０００７】
また、このベルトは、赤ちゃんの重量に耐えられるために、一定の剛性を有している材質、例えば、ＰＶＣのような材質で形成されているが、これは、腰に負担を与えるだけでなく、腰を曲げるなどの動作を妨げる要素となり、自然な動作を妨害する。
【０００８】
しかも、赤ちゃんの荷重が、レール溝から横方向に突出したブラケットに垂直方向に作用し、耐久性が弱いという欠点もある。
【０００９】
また、かかる従来のベルト構造は、ＰＶＣのような硬質の材質からなっており、一般リュックサックなどに適用する時に、特定身体部位を圧迫するといった問題点がある。
【００１０】
さらに、上記従来の回転手段であるベルトは、内部にガイド溝が形成され、ガイド溝から突出したブラケットを用いる構造となっているため、構成が複雑で、大きい重量に長く耐えられないという不具合がある他、おんぶ帯、リュックサックまたはかばんなどに適用し難いという不具合があった。
【発明の概要】
【発明が解決しようとする課題】
【００１１】
本発明は、上記従来の問題点を解決するために案出されたもので、本発明が解決しようとする技術的課題は、構造が簡単で、大きい重量にも耐えられ、軟質材で形成されることで、おんぶ帯、リュックサック及びかばんなどに容易に適用することができるスライディング装置を提供することにある。
【００１２】
また、本発明が解決しようとする他の技術的課題は、本発明の上記スライディング装置を用いておんぶ帯本体部をおんぶ帯着用者の前後方にスライディング回転可能にすることで、赤ちゃんの乗せ降ろしが容易にでき、かつおんぶ帯を着用した状態でも自由に動作できるおんぶ帯を提供することにある。
【００１３】
また、本発明が解決しようとするさらに他の技術的課題は、本発明の上記スライディング装置を用いて、内部に品物が収納される本体部を前後方向にスライディング回転可能にすることで、使い勝手をよくしたリュックサック、かばん及び腰巻式リュックサックを提供することにある。
【課題を解決するための手段】
【００１４】
上記目的を達成するための第１発明に係るスライディング装置は、ジッパー連結部材と、前記ジッパー連結部材に長さ方向に沿ってジッパーが連続して結合しているジッパー部と、前記ジッパー部に結合し、前記ジッパー部に沿ってスライディング移動するスライダーと、を含む。
【００１５】
前記スライダーは、前記ジッパー部に結合し、ジッパー部に沿ってスライディング移動するスライダー本体と、前記スライダー本体の下端部に結合するスライダー連結部材と、を含む。
【００１６】
前記スライダーが１個または複数個でよい。
【００１７】
前記ジッパー連結部材は、一端部にコネクターが設けられ、他端部に、前記コネクターと結合する締め金が設けられる。
【００１８】
前記ジッパー連結部材またはスライダー連結部材は、軟質の布、革、合成樹脂のいずれか一つで形成される。
【００１９】
一方、第２発明に係るおんぶ帯は、おんぶ帯本体部と、前記おんぶ帯本体部が結合する肩紐取付け部と、前記おんぶ帯本体部を、前記肩紐取付け部の周りをスライディング回転するように前記肩紐取付け部に結合させる、第１発明に係るスライディング装置と、を含む。
【００２０】
前記おんぶ帯本体部は、おんぶ帯本体と、前記おんぶ帯本体が結合するおんぶ帯取付け板と、を含み、前記肩紐取付け部は、肩掛け板と、前記肩掛け板に結合する肩紐と、を含む。
【００２１】
前記おんぶ帯本体部に前記スライディング装置のスライダーが付着され、前記肩紐取付け部に前記スライディング装置のジッパー連結部材が付着される。
【００２２】
前記ジッパー連結部材は、一側が肩紐取付け部の一面に付着され、他側が肩紐取付け部の側方を経て肩紐取付け部の他面へと延長される構造に形成される。
【００２３】
前記おんぶ帯本体部と肩紐取付け部とは、上部締め金部及び下部締め金部により締め付けられ、前記上部締め金部は、おんぶ帯本体部の上部に設けられるコネクターと、前記肩紐取付け部の上部に設けられ、前記コネクターと結合する締め金と、を含み、前記下部締め金部は、おんぶ帯本体部の下部に設けられるコネクターと、前記肩紐取付け部の下部に設けられ、前記コネクターと結合する締め金と、を含む。
【００２４】
前記肩紐には、ジッパー連結部材の両側端部を係止する固定部材が形成され、前記固定部材は、一方の肩紐に設けられ、ジッパー連結部材の端部に引っかかって該ジッパー連結部材の端部を固定するフックと、他方の肩紐に設けられ、ジッパー連結部材の端部が挿通し、該ジッパー連結部材の端部を固定する固定具と、を含む。
【００２５】
一方、第３発明に係るリュックサックは、リュックサック本体部と、前記リュックサック本体部に結合する肩紐取付け部と、前記リュックサック本体部を、前記肩紐取付け部の周りをスライディング回転するように前記肩紐取付け部に結合させる第１発明に係るスライディング装置と、を含む。
【００２６】
前記リュックサック本体部は、リュックサック本体と、前記リュックサック本体が結合するリュックサック取付け板と、を含み、前記肩紐取付け部は、肩掛け板と、前記肩掛け板に結合する肩紐と、を含む。
【００２７】
前記リュックサック本体部に、前記スライディング装置のスライダーが付着され、前記肩紐取付け部に、前記スライディング装置のジッパー連結部材が付着され、前記ジッパー連結部材は、一側が肩紐取付け部の一面に付着され、他側が肩紐取付け部の側方を経て肩紐取付け部の他面へと延長される構造に形成される。
【００２８】
前記リュックサック本体部と肩紐取付け部とは、上部締め金部及び下部締め金部により締め付けられ、前記上部締め金部は、リュックサック本体部の上部に設けられるコネクターと、前記肩紐取付け部の上部に設けられ、前記コネクターと結合する締め金と、を含み、前記下部締め金部は、リュックサック本体部の下部に設けられるコネクターと、前記肩紐取付け部の下部に設けられ、前記コネクターと結合する締め金と、を含む。
【００２９】
前記肩紐にはジッパー連結部材の両側端部を係止する固定部材が設けられ、前記固定部材は、一方の肩紐に設けられ、ジッパー連結部材の端部に引っかかって該ジッパー連結部材の端部を固定するフックと、他方の肩紐に設けられ、ジッパー連結部材の端部が挿通し、該ジッパー連結部材の端部を固定する固定具と、を含む。
【００３０】
一方、第４発明に係るかばんは、かばん本体部と、前記かばん本体部が結合する肩紐取付け部と、前記かばん本体部を、前記肩紐取付け部の周りをスライディング回転するように前記肩紐取付け部に結合させる第１発明に係るスライディング装置と、を含む。
【００３１】
前記かばん本体部は、かばん本体と、前記かばん本体に結合するかばん取付け板と、を含み、前記肩紐取付け部は、肩掛け板と、前記肩掛け板に結合する肩紐と、を含む。
【００３２】
前記かばん本体部に前記スライディング装置のスライダーが付着され、前記肩紐取付け部に前記スライディング装置のジッパー連結部材が付着され、前記ジッパー連結部材は、一側が肩紐取付け部の一面に付着され、他側は肩紐取付け部の側方を経て肩紐取付け部の他面へと延長される構造に形成される。
【００３３】
前記かばん本体部と肩紐取付け部とは、上部締め金部及び下部締め金部により締め付けられ、前記上部締め金部は、かばん本体部の上部に設けられるコネクターと、前記肩紐取付け部の上部に設けられ、前記コネクターに結合する締め金と、を含み、前記下部締め金部は、かばん本体部の下部に設けられるコネクターと、前記肩紐取付け部の下部に設けられ、前記コネクターに結合する締め金と、を含む。
【００３４】
前記肩紐にはジッパー連結部材の両側端部を係止する固定部材が形成され、前記固定部材は、一方の肩紐に形成され、ジッパー連結部材の端部に引っかかって該ジッパー連結部材の端部を固定するフックと、他方の肩紐に形成され、ジッパー連結部材の端部が挿通し、該ジッパー連結部材の端部を固定する固定具と、を含む。
【００３５】
一方、第５発明に係る腰巻式リュックサックは、腰巻式リュックサック本体部と、前記腰巻式リュックサック本体部が結合する第１発明に係るスライディング装置と、を含み、前記腰巻式リュックサック本体部は、前記スライディング装置のジッパー連結部材に設けられているジッパー部に沿ってスライディング回転する。
【００３６】
前記腰巻式リュックサック本体部に前記スライディング装置のスライダーが付着される。
【００３７】
前記腰巻式リュックサック本体部は、上部にコネクターが設けられ、前記ジッパー連結部材は、上側部に前記コネクターと結合する複数の上部締め金が設けられる。
【発明の効果】
【００３８】
本発明は、ジッパー連結部材、該ジッパー連結部材に取り付けられたジッパー部、及び該ジッパー部に結合するスライダーを含むスライディング装置とし、構造が簡単でありながらも、大きい重量に耐えることができる。なお、該スライディング装置を軟質材で形成したため、おんぶ帯、リュックサック及びかばんなどに適用しやすいという効果がある。
【００３９】
本発明のスライディング装置をおんぶ帯に適用することによって、赤ちゃんが収容されるおんぶ帯本体部をスライディング回転させて着用者の前方及び後方へと移動させることができ、よって、赤ちゃんの乗せ降ろし作業が容易になり、赤ちゃんの安全を増大させることができる。
【００４０】
また、おんぶ帯に設けられたスライディング装置が、着用者の腰部分ではなくおんぶ帯の中間部以上の高さに設けられるため、構造的な安定感及び耐久性の増大を図ることができる。
【００４１】
本発明のスライディング装置をリュックサック、かばんまたは腰巻式リュックサックに適用することによって、品物の収納されている本体部を着用者の前方及び後方に移動させることができ、品物の収納が容易になる。
【図面の簡単な説明】
【００４２】
【図１】第１発明に係るスライディング装置を示す組立斜視図である。
【図２】第１発明に係るスライディング装置を示す分離斜視図である。
【図３】第１発明に係るスライディング装置の使用状態図である。
【図４】第２発明に係るおんぶ帯を示す組立斜視図である。
【図５】第２発明に係るおんぶ帯を示す分離斜視図である。
【図６】第２発明に係るおんぶ帯の肩紐取付け部を示す斜視図である。
【図７】第２発明に係るおんぶ帯の着用状態を示す斜視図である。
【図８】第２発明に係るおんぶ帯の回転状態を示す斜視図である。
【図９】第３発明に係るリュックサックを示す組立斜視図である。
【図１０】第３発明に係るリュックサックを示す分離斜視図である。
【図１１】第４発明に係るかばんを示す組立斜視図である。
【図１２】第４発明に係るかばんを示す分離斜視図である。
【図１３】第５発明に係る腰巻式リュックサックを示す組立斜視図である。
【発明を実施するための形態】
【００４３】
以下、本発明について、添付の図面を参照しつつ詳細に説明する。
【００４４】
［第１発明について］
第１発明に係るスライディング装置１００は、大きい重量に耐えられるとともに、軟質材で形成され、後述するおんぶ帯、リュックサック及びかばんなどを、着用者の前後方にスライディング回転させる構成となっている。
【００４５】
この第１発明に係るスライディング装置１００は、図１及び図２に示すように、ジッパー結合部１１０と、ジッパー結合部１１０に結合するスライダー１２０と、を含む。
【００４６】
ジッパー結合部１１０は、長い帯状に形成されたジッパー連結部材１１１、ジッパー連結部材１１１の下端部に長さ方向に沿ってジッパーが連続して結合しているジッパー部１１２と、を含む。このジッパー部１１２にスライディング移動可能にスライダー１２０が結合する。
【００４７】
ジッパー連結部材１１１は、スライディング装置１００か適用される製品のいかなる位置にも付着しやすいものとするために、軟質材、例えば、布、革及び合成樹脂のいずれかで形成されると好ましく、より好ましくは布で形成される。
【００４８】
そして、ジッパー連結部材１１１の上側部は、スライディング装置１００が装着される製品に直接付着される部位で、裁縫などにより製品に付着される。すなわち、図１及び図２で、ジッパー連結部材１１１の上側部に形成された点線１１１ａは、裁縫により付着される部位を示す。
【００４９】
ここで、ジッパー部１１２は、衣服やポケット類を閉める時に用いられる普通のジッパーをそのまま使用してもよく、図１及び図２に示すように、不要な部分を省いた四角ボックス形態のジッパー１１２ａで製作して使用してもよい。好ましくは、大きい荷重にも耐えられるように、四角ボックス形態に製作して使用するとよい。
【００５０】
スライダー１２０は、ジッパー部１１２に結合し、ジッパー部１１２に沿ってスライディング移動するスライダー本体１２１と、スライダー本体１２１の下端部に結合するスライダー連結部材１２２と、を含む。
【００５１】
スライダー本体１２１は、概略“□（矩形）”状の側断面において、上部の中央部位１２１ａが切開され、上側部の端部１２１ｂがジッパー１１２ａの上側面に締め付けられる。これにより、スライダー本体１２１の内側空間部１２１ｃ内にジッパー１１２ａが挿入される。
【００５２】
スライダー連結部材１２２は、スライディング装置１００が適用される製品に直接取り付けられる部位で、スライダー本体１２１の下端部に形成された結合孔１２１ｄに結合し、裁縫などにより容易に取付け可能なように、軟質材、例えば、布、革及び軟らかい合成樹脂のいずれかで形成され、好ましくは布で形成される。
【００５３】
一方、スライダー１２０は、１個または複数個を設けることができ、好ましくは、２個を設ける。これは、大きい荷重のかかる製品がスライダー連結部材１２２に連結される場合に、ジッパー部１１２に作用する力を分散させ、より安定させるためである。
【００５４】
そして、スライダー１２０を複数個とする場合に、スライダー１２０とスライダー１２０との間は連結具（図示せず）で連結することができる。
【００５５】
このような構成を有するスライディング装置１００は、スライダー１２０がジッパー部１１２に結合し、ジッパー部１１２に沿ってスライディング移動することによって、スライダー１２０に締結される大きい重量の製品を安定してスライディング移動させることができる。また、ジッパー連結部材１１１を軟質材の布で形成することで、着用者との密着力を増大させることができる。
【００５６】
一方、スライディング装置１００のジッパー連結部材１１１は、図３に示すように、リング状に連結して使用する。
【００５７】
すなわち、ジッパー連結部材１１１は、一端部にコネクター１１１ｂが設けられ、他端部に、コネクター１１１ｂに係合する締め金１１１ｃが設けられる。
【００５８】
そのため、コネクター１１１ｂと締め金１１１ｃとの係合によりジッパー連結部材１１１をリング状に連結でき、これにより、スライダー１２０をジッパー部１１２に沿ってスライディング回転させることができる。
【００５９】
ここで、ジッパー連結部材１１１の端部は、コネクター１１１ｂ及び締め金１１１ｃにより長さ調節可能に結合するため、着用者の身体構造に合わせてジッパー連結部材１１１の長さを調節できる。
【００６０】
以下、第１発明に基づく他の発明について説明するが、上述の第１発明と同一の構成及び機能を有する構成には同一の構成符号を付し、重複説明は省略する。
【００６１】
［第２発明について］
第２発明は、図４〜図８に示すように、第１発明に記載されたスライディング装置１００を用いるおんぶ帯１０に関するものである。
【００６２】
すなわち、第２発明に係るおんぶ帯１０は、第１発明に係るスライディング装置１００を用いて、おんぶ帯本体部２００を肩紐取付け部３００の周囲に沿ってスライディング回転可能にした構成となっている。
【００６３】
第２発明に係るおんぶ帯１０は、図４〜図６に示すように、赤ちゃんが収容されるおんぶ帯本体部２００と、おんぶ帯本体部２００が結合し、着用者が肩に着用する肩紐取付け部３００、及びおんぶ帯本体部２００を肩紐取付け部３００の周りをスライディング回転するように肩紐取付け部３００に結合させるスライディング装置１００を含む。
【００６４】
おんぶ帯本体部２００は、赤ちゃんを直接収容するおんぶ帯本体２１０と、おんぶ帯本体２１０の前方（図４において前方）に付着されるおんぶ帯取付け板２２０と、を含む。
【００６５】
ここで、おんぶ帯本体２１０とおんぶ帯取付け板２２０は裁縫などにより一体とする。
【００６６】
肩紐取付け部３００は、おんぶ帯取付け板２２０が結合し、一定厚さを有する概略板状の肩掛け板３１０と、肩掛け板３１０の前方両側（図４で前方）にそれぞれ付着される肩紐３２０と、を含む。
【００６７】
ここで、肩掛け板３１０は、着用者のなどに直接接触する構成であり、着用時に軟らかい感じを与えるようにクッション機能を備える。
【００６８】
そして、肩掛け板３１０は、後方（図４で後方）にスライディング装置１００のジッパー連結部材１１１が付着されるので、荷重に十分に耐えうるように一定の剛性を有するものとする。
【００６９】
一方、おんぶ帯本体部２００と肩紐取付け部３００とは、上部締め金部及び下部締め金部により上部と下部がそれぞれ結合する（図５参照）。
【００７０】
上部締め金部は、おんぶ帯本体部２００と肩紐取付け部３００の上部を結合させるためのもので、おんぶ帯取付け板２２０の上部に連結紐２２１ａにより付着されるコネクター２２１と、肩掛け板３１０の上部に連結紐３１１ａにより付着され、コネクター２２１と係合する締め金３１１と、を含む。
【００７１】
下部締め金部は、おんぶ帯本体部２００と肩紐取付け部３００の下部を結合させるためのもので、おんぶ帯取付け板２２０の下部両側端部にそれぞれ連結紐２２２ａにより付着されるコネクター２２２と、肩掛け板３１０の下部両側端部にそれぞれ連結紐３１２ａにより付着され、コネクター２２２に係合する締め金３１２と、を含む。
【００７２】
ここで、連結紐２２１ａ，２２２ａ，３１１ａ，３１２ａは、布または伸縮性の合成樹脂で形成され、コネクター２２１，２２２及び締め金３１１，３１２と長さ調節可能に結合する。
【００７３】
このような上部及び下部締め金部は、おんぶ帯本体部２００と肩紐取付け部３００とを密着させた状態で、上部締め金部であるコネクター２２１と締め金３１１とを係合させ、下部締め金部であるコネクター２２２と締め金３１２とを係合させることで、おんぶ帯本体部２００と肩紐取付け部３００とを安定して結合させることができる。
【００７４】
一方、肩掛け板３１０の下部には、腰巻き締め部が設けられ、腰巻き締め部は、おんぶ帯着用者の腰の周りに巻く構成であり、肩掛け板３１０の下部一側に連結紐３１３ａにより付着されるコネクター３１３と、肩掛け板３１０の下部他側に連結紐３１４ａにより付着され、コネクター３１３と係合する締め金３１４と、を含む。
【００７５】
ここで、連結紐３１３ａ，３１４ａは、布または伸縮性の合成樹脂で形成され、コネクター３１３及び締め金３１４と長さ調節可能に結合する。
【００７６】
したがって、腰巻き締め部は、コネクター３１３と締め金３１４とを着用者の前方で係合させることで、おんぶ帯本体部１００が後方（図４で後方）に移動する現象を防止することができる。
【００７７】
スライディング装置１００は、おんぶ帯本体部２００を肩紐取付け部３００の周りをスライディング回転可能なように結合させるためのもので、肩紐取付け部３００の肩掛け板３１０に付着されるジッパー結合部１１０と、一側はおんぶ帯本体部２００のおんぶ帯本体２２０に付着され、他側はジッパー結合部１１０の下端部にスライディング移動可能に結合するスライダー１２０と、を含む。
【００７８】
一方、スライディング装置１００は、第１発明で説明したスライディング装置１００と同様の構成及び機能を有するので、同一の構成符号を付し、詳細な説明は省略する。
【００７９】
すなわち、ジッパー結合部１１０のジッパー連結部材１１１は、一側が肩掛け板３１０の一面（図６で後方）に裁縫などにより付着され、他側が肩紐取付け部３００の側方を経て肩紐取付け部３００の他面（図６で前方）へと延長されて出る構造となっている。
【００８０】
ここで、ジッパー連結部材１１１が肩掛け板３１０に付着される位置は、肩掛け板３１０の上下方向の高さにおいて、中間部以上の高さとすることが好ましい。これは、赤ちゃんをおんぶした状態でおんぶ帯本体部２００をスライディングさせる場合、おんぶ帯本体部２００の重心が下部に偏ることを防ぐためであり、これにより、おんぶ帯本体２１０のスライディング回転移動時に赤ちゃんが後ろに反って落傷するなどの不安定な動作を防止することができる。
【００８１】
そして、ジッパー連結部材１１１は、一端部に設けられるコネクター１１１ｂと、他端部に設けられ、コネクター１１１ｂに係合する締め金１１１ｃとにより、リング状に連結される。
【００８２】
一方、スライダー１２０は、ジッパー結合部１１０のジッパー部１１２に結合するスライダー本体１２１と、スライダー本体１２１に結合するスライダー連結部材１２２と、を含み、スライダー連結部材１２２は、おんぶ帯取付け板２２０の後方に、図５に表示された点線１２２ａのように裁縫により付着される。
【００８３】
すなわち、スライディング装置１００は、スライダー１２０をジッパー部１１２に沿ってスライディング移動させると、スライダー１２０と連動しておんぶ帯本体部２００がスライディング移動し、これにより、おんぶ帯本体部２００を肩紐取付け部３００の周りに沿ってスライディング回転させることができる。
【００８４】
一方、ジッパー連結部材１１１の両側端部は、肩紐３２０に形成された固定部材により係止され、この固定部材は、フック３３０及び固定具３４０を含む。
【００８５】
すなわち、固定部材は、一方の肩紐３２０に設けられ、ジッパー連結部材１１１の一側端部に形成された結合孔１１１ｄに引っかかってジッパー連結部１１１の一側端部を固定するフック３３０と、他方の肩紐３２０に設けられ、ジッパー連結部材１１１の他側端部が挿通され、ジッパー連結部材１１１の他側端部を固定する固定具３４０と、を含む。
【００８６】
すなわち、フック３３０及び固定具３４０によりジッパー連結部材１１１の両側端部をそれぞれ固定することによって、ジッパー部１１２に沿って着用者の正面へとスライディング移動したおんぶ帯本体部２００の荷重を安定して支持することができる。
【００８７】
一方、スライディング装置１００において、スライダー１２０のスライダー連結部材１２２を介して印加されうる荷重は１トンまでにする。
【００８８】
以下、第２発明に係るおんぶ帯の着用及び使用状態について説明する。
【００８９】
図７は、おんぶ帯に乗せている赤ちゃんを着用者がおんぶした状態であり、図８は、図７の状態でおんぶ帯本体部を回して着用者の前方に移動させた状態である。
【００９０】
まず、赤ちゃんの乗せてあるおんぶ帯１０を着用者が背中に背負っている状態で、おんぶ帯取付け板２２０と肩掛け板３１０の上部及び下部にそれぞれ取り付けられている上部及び下部締め金部の結合状態を解除する。すなわち、上部締め金部であるコネクター２２１と締め金３１１との結合状態を解除する一方で、下部締め金部であるコネクター２２２と締め金３１２との結合状態を解除する。
【００９１】
このように上部及び下部締め金部の結合が解除されると、おんぶ帯取付け板２２０と肩掛け板３１０は互いに移動可能な状態となる。
【００９２】
続いて、一方の腕を持ち上げた状態で、おんぶ帯取付け板２２０を側方向に引き寄せると、おんぶ帯取付け板２２０に取り付けられているスライダー１２０が、ジッパー連結部材１１１のジッパー部１１２に沿って移動し、これにより、おんぶ帯取付け板２２０及びおんぶ帯本体２１０が着用者の前方へとスライディング回転する。すなわち、図７に示す状態から図８に示す状態となる。
【００９３】
その後、上部締め金部であるコネクター２２１と締め金３１１と、及び下部締め金部であるコネクター２２２と締め金３１２とをそれぞれ結合させて、おんぶ帯本体部２００と肩紐取付け部３００とを結合させる。
【００９４】
このような方法でおんぶ帯本体部２００を着用者の前方にスライディング移動させることができ、使い勝手を向上させることができる。
【００９５】
［第３発明について］
第３発明は、図９及び図１０に示すように、第１及び第２発明として記載されたスライディング装置１００を用いているリュックサック２０に関するものである。
【００９６】
すなわち、第３発明に係るリュックサック２０は、第１及び第２発明に係るスライディング装置１００を用いて、リュックサック本体部４００を、肩紐取付け部３００の周囲をスライディング回転可能なように構成したものである。
【００９７】
第３発明に係るリュックサック２０は、図９及び図１０に示すように、品物を収納するリュックサック本体部４００、リュックサック本体部４００が結合する肩紐取付け部３００、及びリュックサック本体部４００を肩紐取付け部３００の周りに沿ってスライディング回転するように肩紐取付け部３００に結合させるスライディング装置１００を含む。
【００９８】
以下、第３発明に係るリュックサック２０の構成についてより詳細に説明する。
【００９９】
リュックサック本体部４００は、品物を収納するように収納空間を有するリュックサック本体４１０と、リュックサック本体４１０の前方（図９で前方）に設けられるリュックサック取付け板４２０と、を含み、リュックサック本体４１０とリュックサック取付け板４２０とは裁縫などにより一体とされている。
【０１００】
肩紐取付け部３００は、後方（図９で後方）にリュックサック本体部４００が結合する肩掛け板３１０と、肩掛け板３１０の後面に取り付けられる肩紐３２０と、を含む。
【０１０１】
ここで、肩紐取付け部３００は、第２発明に記載された肩紐取付け部３００と同様の構成及び機能を有するので、同一の構成符号を付し、重複説明は省略する。
【０１０２】
一方、リュックサック取付け板４２０と肩掛け板３１０の上部及び下部は、上部及び下部締め金部により分離可能なように結合する。
【０１０３】
ここで、上部及び下部締め金部は、第２発明に記載された上部及び下部締め金部と同様の構成及び機能を有するので、同一の構成符号を付し、重複説明は省略する。
【０１０４】
スライディング装置１００は、第１及び第２発明に記載されたスライディング装置１００と同様の構成及び機能を有するので、同一の構成符号を付し、重複説明は省略する。
【０１０５】
一方、第３発明に係るリュックサック２０は、第２発明において赤ちゃんを収容するおんぶ帯本体部２００を、品物を収納するリュックサック本体部４００に代えたもので、第２発明のおんぶ帯本体部２００と第３発明のリュックサック本体部４００のみが異なるだけで、他の構成は実質的に同一である。
【０１０６】
以下、第３発明に係るリュックサックの着用及び使用状態を説明する。
【０１０７】
第３発明に係るリュックサック２０において、着用者の背中に位置しているリュックサック本体部４００を着用者の胸側に移動させるためには、リュックサック取付け板４２０と肩掛け板３１０の上部及び下部をそれぞれ結合させている上部及び下部締め金部の結合を解除する。
【０１０８】
続いて、一方の腕を持ち上げた状態で、リュックサック取付け板４２０を側方向に引き寄せると、リュックサック取付け板４２０に付着されているスライダー１２０がジッパー連結部材１１１におけるジッパー部１１２に沿って移動し、これにより、リュックサック取付け板４２０及びリュックサック本体４１０が着用者の前方にスライディング回転する。
【０１０９】
したがって、スライディング装置１００を用いてリュックサック本体部４００を着用者の前後方向にスライディング移動させることによってリュックサック本体部４００を着用者の前方にスライディング移動させることができ、使い勝手を向上させることができる。
【０１１０】
［第４発明について］
第４発明は、図１１及び図１２に示すように、第１及び第２発明に記載されたスライディング装置１００を用いているかばん３０に関するものである。
【０１１１】
すなわち、第４発明に係るかばん３０は、第１及び第２発明に係るスライディング装置１００を用いて、かばん本体部５００を、肩紐取付け部３００の周囲をスライディング回転可能なように構成したものである。
【０１１２】
第４発明に係るかばん３０は、品物を収納するかばん本体部５００、かばん本体部５００が結合する肩紐取付け部３００、及びかばん本体部５００を肩紐取付け部３００の周りに沿ってスライディング回転するように肩紐取付け部３００に結合させるスライディング装置１００を含む。
【０１１３】
かばん本体部５００は、品物を収容するかばん本体５１０と、かばん本体５１０の後方に設けられるかばん取付け板５２０と、を含む。
【０１１４】
ここで、かばん本体部５００は、上述の第３発明として記載されたリュックサック本体部４００と比べて、大きさや適用分野が異なるだけで構成及び機能は実質的に同一である。
【０１１５】
すなわち、第３発明として記載されたリュックサック本体部４００と第４発明として記載されたかばん本体部５００は、品物を収納するためのもので、実質的に同じ構成と機能を有する。ただし、第３発明として記載されたリュックサック本体部４００は登山向けのもので、大型に製作され、登山用品を収納するのに適した収納空間を有し、第４発明として記載されたかばん本体部５００は、本などの小型の品物を収納するのに適した収納空間を有する。
【０１１６】
肩紐取付け部３００は、第２発明に記載された肩紐取付け部３００と実質的に同一の構成及び機能を有するので、同一の構成符号を付し、重複説明は省略する。
【０１１７】
スライディング装置１００は、第１及び第２発明として記載されたスライディング装置１００と実質的に同一の構成及び機能を有するので、同一の構成符号を付し、重複説明は省略する。
【０１１８】
一方、第４発明に係るかばん３０は、第３発明に係るリュックサック本体部４００に代えてかばん本体部５００を適用したもので、第３発明に係るリュックサック本体部４００及び第４発明に係るかばん本体部５００は、大きさ及び用途が異なるだけで、実質的に同一の構成及び機能を有する。
【０１１９】
したがって、第４発明に係るかばん３０の着用及び使用方法は、第３発明に係るリュックサック２０と同様であり、その詳細な説明は省略する。
【０１２０】
［第５発明について］
第５発明は、図１３に示すように、第１発明に係るスライディング装置１００を用いている腰巻式リュックサック４０に関するものである。
【０１２１】
すなわち、第５発明に係る腰巻式リュックサック４０は、第１発明に係るスライディング装置１００を用いて、腰巻式リュックサック本体部６００を肩紐取付け部３００の周囲をスライディング回転可能なように構成したものである。
【０１２２】
第５発明に係る腰巻式リュックサック４０は、品物を収納する腰巻式リュックサック本体部６００と、着用者の腰に着用され、腰巻式リュックサック本体部６００が結合するスライディング装置１００と、を含み、腰巻式リュックサック本体部６００は、スライディング装置１００に沿ってスライディング回転する。
【０１２３】
スライディング装置１００は、着用者の腰に着用されるジッパー連結部材１１１、及びジッパー連結部材１１１の下端部に長さ方向に沿って結合するジッパー部１１２を含むジッパー結合部１１０と、下側に腰巻式リュックサック本体部６００が付着され、上側がジッパー部１１２にスライディング移動可能に結合するスライダー１２０と、を含む。
【０１２４】
ここで、スライディング装置１００は、第１発明として記載されたスライディング装置１００と同様の構成及び機能を有するので、同一の構成符号を付し、重複説明は省略する。
【０１２５】
一方、腰巻式リュックサック本体部６００の上部にはコネクター６１０が設けられ、ジッパー連結部材１１１の上側部には、コネクター６１０と結合する締め金６２０が設けられる。
【０１２６】
ここで、ジッパー連結部材１１１には複数の締め金６２０を設けて、ジッパー連結部材１１１の特定位置に腰巻式リュックサック本体部６００が固定されるようにする。
【０１２７】
上記の構成を有する腰巻式リュックサック本体部６００は、着用者の腰にジッパー連結部材１１１を着用した状態で、腰巻式リュックサック本体部６００を左または右に引き寄せると、腰巻式リュックサック本体部６００に付着されているスライダー１２０がジッパー部１１２に沿って左または右にスライディング移動しつつ腰巻式リュックサック本体部６００が回転する。このとき、コネクター６１０とジッパー連結部材１１１における締め金６２０とを係合することで腰巻式リュックサック本体部６００を固定させることができる。
【０１２８】
したがって、第５発明に係る腰巻式リュックサック４０は、腰巻式リュックサック本体部６００を完全に取り外すことなく着用者の前方にスライディング移動させることができ、使い勝手を向上させることができる。
【図１】
0005538537.tif 000002
【図２】
0005538537.tif 000003
【図３】
0005538537.tif 000004
【図４】
0005538537.tif 000005
【図５】
0005538537.tif 000006
【図６】
0005538537.tif 000007
【図７】
0005538537.tif 000008
【図８】
0005538537.tif 000009
【図９】
0005538537.tif 000010
【図１０】
0005538537.tif 000011
【図１１】
0005538537.tif 000012
【図１２】
0005538537.tif 000013
【図１３】
0005538537.tif 000014